(57)【要約】【課題】ユーザの意図と異なる携帯電話機での発信を防止することができる「通信システム」を提供すること。【解決手段】携帯電話機と、当該携帯電話機を介して発信及び着信を行う通信装置とが通信可能に接続された通信システムであって、通信装置は、ユーザが指示する情報を入力する入力手段と、携帯電話機と接続して通信を行う通信手段と、携帯電話機が保有する電話帳データを記憶する記憶手段と、入力手段を介して電話番号が入力されたときに（Ｓ３１）、通信手段の接続先を、記憶手段に記憶している電話帳データのうちの当該電話番号を含む電話帳データが保有されている携帯電話機に設定し（Ｓ４１，Ｓ４６）、当該携帯電話機を介して当該電話番号の発信を行う（Ｓ４２）制御手段とを有する。【選択図】図４
2010130658.tif 000002
【特許請求の範囲】
【請求項１】
携帯電話機と、当該携帯電話機を介して発信及び着信を行う通信装置とが通信可能に接続された通信システムであって、
前記通信装置は、
ユーザが指示する情報を入力する入力手段と、
前記携帯電話機と接続して通信を行う通信手段と、
前記携帯電話機が保有する電話帳データを記憶する記憶手段と、
前記入力手段を介して電話番号が入力されたときに、前記通信手段の接続先を、前記記憶手段に記憶している前記電話帳データのうちの当該電話番号を含む前記電話帳データが保有されている携帯電話機に設定し、当該携帯電話機を介して当該電話番号の発信を行う制御手段とを有することを特徴とする通信システム。
【請求項２】
前記制御手段は、前記入力手段を介して電話番号が入力されたときに、前記通信手段と接続中の携帯電話機を検出すると共に、前記記憶手段に記憶している前記電話帳データから当該携帯電話機の保有する前記電話帳データを検出し、
前記電話番号が前記通信手段と接続中の携帯電話機の保有する前記電話帳データに含まれていないときに、前記記憶手段に記憶している前記電話帳データから前記電話番号を含む前記電話帳データを検出すると共に、前記通信手段と接続可能な携帯電話機を検出し、
前記電話番号を含む前記電話帳データが保有されている携帯電話機と接続可能であるときに、前記通信手段の接続先を当該携帯電話機に切り替えることを特徴とする請求項１に記載の通信システム。
【請求項３】
前記制御手段は、前記電話番号が前記通信手段と接続中の携帯電話機の保有する前記電話帳データに含まれているときに、当該携帯電話機との接続を維持することを特徴とする請求項２に記載の通信装置。
【請求項４】
前記制御手段は、前記電話番号を含む前記電話帳データが保有されている携帯電話機と接続可能でないときに、前記電話番号の発信を行わないことを特徴とする請求項３に記載の通信装置。
【請求項５】
更に、画像又は音声を出力する情報出力手段を有し、
前記制御手段は、前記電話番号を含む前記電話帳データが保有されている携帯電話機と接続可能でないときに、前記電話番号の発信を行わないと共に、前記電話番号の発信を行わない旨の画像又は音声を生成して前記情報出力手段を介して出力することを特徴とする請求項４に記載の通信装置。
【発明の詳細な説明】
【技術分野】
【０００１】
本発明は、携帯電話機と、携帯電話機を介して発信及び着信を行う通信装置とが通信可能に接続された通信システムに関する。
【背景技術】
【０００２】
近年、携帯電話機とブルートゥース（以下、「ＢＴ」という）等の無線接続を介してハンズフリー機能を実現するハンズフリー装置（通信装置）が開発され、ハンズフリー装置と携帯電話機とにより構成された通信システムが普及している。
【０００３】
このような通信システムにおいては、ハンズフリー装置に携帯電話機を登録しておき、ハンズフリー装置で発信先の電話番号を入力すると、ＢＴ接続中の携帯電話機を介して入力された電話番号の発信を行い、携帯電話を手に取ることなく発信先の相手と通話することができる。
【０００４】
ハンズフリー装置に携帯電話機を登録する方法について、例えば特許文献１には、ＢＴ接続した携帯電話機から識別データ及び電話番号データのリストを取得し、電話番号データのリストに識別データを対応付けて電話帳データとしてメモリに記録することが記載されている。
【０００５】
また、特許文献２には、通信装置に登録した端末、例えば携帯電話機のうち、ＢＴで通信可能な端末を検出し、その結果を表示装置に表示することが記載されている。
【特許文献１】特開２００６−６０２９３号公報
【特許文献２】特開２００６−５７４４号公報
【発明の開示】
【発明が解決しようとする課題】
【０００６】
上述したように、通信システムのハンズフリー装置では、携帯電話機が登録されてハンズフリー機能が実現されている。登録された携帯電話機が１台のときは、その携帯電話機を介して通信を行うことになるが、登録された携帯電話機が２台存在するときは、いずれの携帯電話機を使用しても通信可能となる。この場合、どちらの携帯電話機を通信のために使用するかによって、ユーザにとって不都合な状況が起こるおそれがある。例えば、ハンズフリー装置に、プライベート用の携帯電話機と仕事用の携帯電話機の２つの携帯電話機が登録されているとする。２つの携帯電話機のうちプライベート用の携帯電話機がハンズフリー装置とＢＴ接続している場合、プライベート用の携帯電話機を介して発信先の相手と接続される。従って、ハンズフリー装置に仕事相手の電話番号を入力したときには、プライベート用の携帯電話機の電話番号が発信先の仕事相手の電話機に着信履歴として残り、個人情報であるプライベート用の電話番号が仕事相手に知られてしまうことになる。
【０００７】
このように、ＢＴ接続中の携帯電話機によっては、入力された電話番号に対してユーザが使用を意図する携帯電話機と異なる携帯電話機で発信を行ってしまうことがある。
【０００８】
本発明は、かかる従来技術における課題に鑑み創作されたもので、ユーザの意図と異なる携帯電話機での発信を防止することができる通信システムを提供することを目的とする。
【課題を解決するための手段】
【０００９】
上記の従来技術の課題を解決するために、本発明に係る通信システムは、携帯電話機と、当該携帯電話機を介して発信及び着信を行う通信装置とが通信可能に接続された通信システムであって、前記通信装置は、ユーザが指示する情報を入力する入力手段と、前記携帯電話機と接続して通信を行う通信手段と、前記携帯電話機が保有する電話帳データを記憶する記憶手段と、前記入力手段を介して電話番号が入力されたときに、前記通信手段の接続先を、前記記憶手段に記憶している前記電話帳データのうちの当該電話番号を含む前記電話帳データが保有されている携帯電話機に設定し、当該携帯電話機を介して当該電話番号の発信を行う制御手段とを有することを特徴とする。
【００１０】
本発明では、通信装置において、携帯電話機が保有する電話帳データを記憶手段に記憶しておき、発信先の電話番号が入力されたときに、通信手段の接続先を、記憶手段に記憶している電話帳データのうちの当該電話番号を含む電話帳データが保有されている携帯電話機に設定して、発信を行う。この場合、接続中の携帯電話機の保有する電話帳データに入力された電話番号が含まれている場合には、接続中の携帯電話機との接続を維持し、接続中の携帯電話機の保有する電話帳データに入力された電話番号が含まれていない場合には、入力された電話番号を含む電話帳データが保有されている携帯電話機に接続先を切り替えて、発信を行う。
【００１１】
このように、入力された電話番号の発信を行う携帯電話機は、その電話番号を含む電話帳データが保有されている携帯電話機となる。このため、ユーザの意図と異なる携帯電話機での発信を防止することができる。
【発明を実施するための最良の形態】
【００１２】
以下、本発明の実施の形態について、添付の図面を参照しながら説明する。はじめに、通信システムの構成について説明する。次に、ハンズフリー装置への携帯電話機の登録の処理について説明する。次に、ハンズフリー装置と携帯電話機とのＢＴ接続の処理について説明する。次に、ハンズフリー装置に入力された電話番号の発信の処理について説明する。
【００１３】
（通信システムの構成）
図１は本発明の一実施形態に係る通信システムの構成を示すブロック図である。
【００１４】
本実施形態の通信システム１は、ブルートゥース（ＢＴ）モジュールを搭載したハンズフリー装置（通信装置）１０と、それぞれＢＴモジュールを搭載し、ハンズフリー装置１０に登録されている携帯電話機２０（図１では、携帯電話機Ａ２１、携帯電話機Ｂ２２及び携帯電話機Ｃ２３）とにより構成されている。
【００１５】
本実施形態の通信システム１では、ハンズフリー装置１０と、ハンズフリー装置１０の所定の通信範囲内に存在する携帯電話機２０（ハンズフリー装置１０と接続可能な携帯電話機２０：図１では、携帯電話機Ａ２１及び携帯電話機Ｂ２２）とにより、ピコネットと呼ばれる無線ネットワークが形成されている。なお、本実施形態の通信システム１では、形成される無線ネットワークにおいて、ハンズフリー装置１０がマスタとして機能し、携帯電話機２０がスレイブとして機能する。
【００１６】
さらに、本実施形態の通信システム１では、ハンズフリー装置１０と、ハンズフリー装置１０と接続可能な携帯電話機２０のいずれか１つ（図１では、携帯電話機Ａ２１）とがＢＴ接続している。これにより、ハンズフリー装置１０と当該携帯電話機２０との間で通信可能となっている。
【００１７】
まず、本実施形態の通信システム１のハンズフリー装置１０について説明する。
【００１８】
ハンズフリー装置１０は、ＢＴ接続している携帯電話機２０において発信又は着信したときに、ユーザが当該携帯電話機２０を手に持たずに通話すること、つまりハンズフリー機能を実現することを可能にするものであり、図１に示すように、操作部１１、マイクロホン１２、制御部１３、通信部１４、記憶部１５、表示部１６及びスピーカ１７を備えている。
【００１９】
ハンズフリー装置１０において、操作部１１は、ハンズフリー装置１０及び携帯電話機２０を操作するものであり、例えば、表示部１６の前面に設けられたタッチパネルの形態を有している。この操作部（タッチパネル）１１は、ユーザが指等で触れたときに接触位置に応じた信号を出力する。
【００２０】
マイクロホン１２は、ハンズフリー通話をしているときに携帯電話機２０のマイクロホン（図示せず）の替わりとして機能し、ユーザが発声した音声を集音し、これを電気信号（音声信号）に変換して出力する。
【００２１】
制御部１３は、マイクロコンピュータにより構成され、後述するようにハンズフリー通話に係るハンズフリー装置１０及び携帯電話機２０の動作の全体を制御する。例えば、未登録の携帯電話機をハンズフリー装置１０に登録したり、登録した携帯電話機２０のいずれか１つとハンズフリー装置１０とをＢＴ接続したり、ハンズフリー装置１０に入力された電話番号の発信をＢＴ接続中の携帯電話機２０を介して行うなどの制御をする。また、制御部１３はメモリ１３ａを有していて、ＢＴ接続に関するデータを格納する。
【００２２】
通信部１４は、ＢＴモジュールにより構成されている。この通信部１４は、制御部１３からの制御に基づき、インクワイアリ（問い合わせ）を行って通信範囲内に存在する接続可能な携帯電話機２０を検出し、さらにページング（呼び出し）を行って、検出した携帯電話機２０のいずれか１つとのＢＴ接続を行う。
【００２３】
記憶部１５は、ＨＤＤやフラッシュメモリ等の書き換え可能な記憶媒体からなり、後述するように、制御部１３からの制御に基づき、登録した携帯電話機２０に関するデータを記憶する。
【００２４】
表示部１６は、例えば液晶表示（ＬＣＤ）パネルや有機ＥＬパネル等からなり、制御部１３から出力された信号（画像信号）に基づき、ハンズフリー装置１０及び携帯電話機２０に関する種々の情報を画像表示する。
【００２５】
スピーカ１７は、ハンズフリー通話をしているときに携帯電話機２０のスピーカ（図示せず）の替わりとして機能し、制御部１３から出力された信号（音声信号）に基づき、ハンズフリー装置１０及び携帯電話機２０に関する種々の情報を音声出力する。
【００２６】
次に、本実施形態の通信システム１の携帯電話機２０について説明する。携帯電話機２０は、通常の携帯電話機としての機能を有し、例えば、ユーザにより電話番号が入力されると通信ネットワークを介して該当する電話機に発信したり、ユーザにより入力された電話番号及び名称等の情報を対応付けて電話番号リストとしてメモリ（図示せず）に格納したりする。
【００２７】
また、携帯電話機２０は、搭載されたＢＴモジュールにより、ハンズフリー装置１０からの要求信号を受信したときに、ＢＴアドレス、携帯電話機種名（ＢＴ機器名称）、パスキー等の携帯電話機２０を識別するための識別データや電話番号リストを送信したり、ＢＴ接続が確立したハンズフリー装置１０と無線通信を行ったりする。
【００２８】
（ハンズフリー装置への携帯電話機の登録）
以下、本実施形態のハンズフリー装置１０の制御部１３において行う携帯電話機の登録に係る処理について、その処理フローの一例を示す図２を参照しながら説明する。なお、前提条件として、ハンズフリー装置１０の通信範囲内に電源がオンとなっている携帯電話機が存在しているものとする。また、ハンズフリー装置１０に電源が投入され、表示部１６の画面に表示されたメインメニュー（図示せず）の項目のうちの「登録」が選択されたものする。
【００２９】
最初のステップＳ１１では、制御部１３からの制御に基づき、通信部１４において、インクワイアリを行って接続可能な携帯電話機を検出する。具体的には、制御部１３からの制御に基づき、通信部１４において、携帯電話機に対して識別データを送信するように要求する信号を送信する。通信範囲内の携帯電話機は、その要求信号を受信すると識別データを送信する。携帯電話機の識別データを通信部１４で受信することにより、制御部１３において、当該携帯電話機を接続可能な携帯電話機として検出する。その後、検出した携帯電話機の識別データをメモリ１３ａに格納する。
【００３０】
次のステップＳ１２では、記憶部１５に記憶したデータを参照して、検出した携帯電話機から未登録の携帯電話機を検出する。
【００３１】
次のステップＳ１３では、検出した未登録の携帯電話機のリストの画像（図示せず）を生成して表示部１６の画面に表示する。
【００３２】
次のステップＳ１４では、ユーザにより未登録の携帯電話機のいずれか１つが選択された（ＹＥＳ）か否（ＮＯ）かを判定する。判定結果がＹＥＳの場合には、ステップＳ１５に移行する。一方、判定結果がＮＯの場合には、本処理フローは「終了」となる。
【００３３】
次のステップＳ１５では、メモリ１３ａに格納した携帯電話機の識別データのうちユーザにより選択された未登録の携帯電話機の識別データを読み出して、記憶部１５に格納する。
【００３４】
次のステップＳ１６では、ユーザにより選択された未登録の携帯電話機の電話番号リストを記憶部１５に格納する。具体的には、制御部１３からの制御に基づき、通信部１４において、選択された未登録の携帯電話機に対して電話番号リストを送信するように要求する信号を送信する。この要求信号を受信した携帯電話機から、電話番号リストを通信部１４を介して受信し、その電話番号リストを記憶部１５に格納する。
【００３５】
次のステップＳ１７では、記憶部１５に格納した識別データと電話番号リストとを対応付けて、選択された未登録の携帯電話機の電話帳データとして記憶部１５に格納する。
【００３６】
次のステップＳ１８では、選択されていない未登録の携帯電話機がまだある（ＹＥＳ）か否（ＮＯ）かを判定する。判定結果がＹＥＳの場合には、ステップＳ１３に移行して、当該未登録の携帯電話機のリストの画像（図示せず）を生成して表示部１６の画面に表示する。一方、判定結果がＮＯの場合には、本処理フローは「終了」となる。
【００３７】
本実施形態の通信システム１においては、上述した携帯電話機の登録に係る処理を行うことにより、図１に示すように、携帯電話機Ａ２１、携帯電話機Ｂ２２及び携帯電話機Ｃ２３がハンズフリー装置１０に登録された状態となる。
【００３８】
（ハンズフリー装置と携帯電話機とのＢＴ接続）
次に、本実施形態のハンズフリー装置１０の制御部１３において行う携帯電話機２０とのＢＴ接続に係る処理について、その処理フローの一例を示す図３を参照しながら説明する。なお、前提条件として、ハンズフリー装置１０の通信範囲内に電源がオンとなっていて、且つハンズフリー装置１０に登録された携帯電話機２０が存在しているものとする。また、メインメニューの項目のうちの「接続」が選択されたものとする。
【００３９】
最初のステップＳ２１では、制御部１３からの制御に基づき、通信部１４において、インクワイアリを行って登録された携帯電話機２０のうちＢＴ接続可能な携帯電話機２０を検出する。そして、制御部１３において、検出した携帯電話機２０の識別データをメモリ１３ａに格納する。
【００４０】
次のステップＳ２２では、検出したＢＴ接続可能な携帯電話機２０のリストの画像（図示せず）を生成して表示部１６の画面に表示する。
【００４１】
次のステップＳ２３では、ＢＴ接続可能な携帯電話機２０のいずれか１つがユーザにより選択された（ＹＥＳ）か否（ＮＯ）かを判定する。判定結果がＹＥＳの場合には、ステップＳ２４に移行する。一方、判定結果がＮＯの場合には、本処理フローは「終了」となる。
【００４２】
次のステップＳ２４では、制御部１３からの制御に基づき、通信部１４において、ユーザにより選択された携帯電話機２０に対してページング（呼び出し）を行って当該携帯電話機２０とのＢＴ接続を行う。
【００４３】
その後、制御部１３では、メモリ１３ａに格納した携帯電話機２０の識別データについて、ＢＴ接続している携帯電話機の識別データと、ＢＴ接続可能な携帯電話機の識別データとを区別して管理する。そして、ＢＴ接続した携帯電話機２０との接続を維持したまま、本処理フローは「終了」となる。
【００４４】
本実施形態の通信システム１においては、上述した携帯電話機２０とのＢＴ接続に係る処理を行うことにより、図１に示すように、ハンズフリー装置１０と接続要求がされた携帯電話機Ａ２１とがＢＴ接続した状態となる。
【００４５】
（ハンズフリー装置に入力された電話番号の発信）
次に、本実施形態のハンズフリー装置１０の制御部１３において行う電話番号の発信に係る処理について、その処理フローの一例を示す図４及び表示部１６の画面に表示される画像の一例を示す図５〜１１を参照しながら説明する。なお、図１に示すように、ハンズフリー装置１０に、携帯電話機（２１，２２，２３）が登録され、通信範囲内の携帯電話機（２１，２２）のうち携帯電話機Ａ２１とＢＴ接続している場合を例にとって説明する。
【００４６】
図５は、発信方法選択メニュー３０の一例であり、メインメニューの項目のうちの「電話をかける」が選択されたときに表示される。発信方法選択メニュー３０には、発信方法の種類として「着信履歴」３１、「発信履歴」３２、「番号入力」３３及び「電話帳」３４という項目が含まれている。
【００４７】
発信方法選択メニュー３０の項目のうちユーザが「番号入力」３３を選択すると、制御部１３において、図６に示す電話番号入力メニュー４０の画像を生成して表示部１６の画面に表示する。電話番号入力メニュー４０には、電話番号を入力するための数字・記号キー４１と、入力した数字又は記号を１つ削除するための削除キー４２と、入力した電話番号による発信を指示するための発信キー４３が含まれている。
【００４８】
図４の最初のステップＳ３１では、ユーザにより電話番号が入力された（ＹＥＳ）か否（ＮＯ）かを判定する。このステップＳ３１では、ユーザが数字・記号キー４１（及び削除キー４２）を用いて電話番号を入力して、さらに発信キー４３を触れたことを検出したときに、ＹＥＳと判定する。その後、ステップＳ３２に移行する。
【００４９】
次のステップＳ３２では、メモリ１３ａに格納した携帯電話機２０の識別データを参照して、ＢＴ接続中の携帯電話機２０を検出する。図１に示すケースでは、ＢＴ接続中の携帯電話機Ａ２１が検出される。
【００５０】
次のステップＳ３３では、記憶部１５に記憶した電話帳データからＢＴ接続中の携帯電話機２０に対応する電話帳データを検出する。図１に示すケースでは、携帯電話機Ａ２１に対応する電話帳データが検出される。
【００５１】
次のステップＳ３４では、検出したＢＴ接続中の携帯電話機２０に対応する電話帳データに、ユーザにより入力された電話番号（入力電話番号）が含まれている（ＹＥＳ）か否（ＮＯ）かを判定する。
【００５２】
このステップＳ３４において、判定結果がＮＯの場合、すなわち入力電話番号がＢＴ接続中の携帯電話機２０に対応する電話帳データに含まれていない場合には、ステップＳ３５に移行する。一方、ステップＳ３４において、判定結果がＹＥＳの場合にはステップＳ４６に移行する。
【００５３】
次のステップＳ３５では、図７に示すように、入力電話番号がＢＴ接続中の携帯電話機２０に対応する電話帳データに含まれていない旨と、ＢＴ接続先を入力された電話番号を含む電話帳データに対応する携帯電話機２０に切り替えることの可否をユーザに確認する旨のメッセージ５０の画像を生成して表示部１６の画面に表示する。
【００５４】
次のステップＳ３６では、ユーザによりＢＴ接続先の切り替えを許可された（ＹＥＳ）か否（ＮＯ）かを判定する。このステップＳ３６において、図７に示すメッセージ５０中の「はい」ボタン５０ａを選択されたことを検出したときに、ＹＥＳと判定し、ステップＳ３７に移行する。一方、ステップＳ３６において、「いいえ」ボタン５０ｂが選択されたことを検出したときには、ＮＯと判定し、ステップＳ５６に移行する。
【００５５】
次のステップＳ３７では、制御部１３からの制御に基づき、通信部１４において、ＢＴ接続中の携帯電話機２０との接続を解除する。図１に示すケースでは、携帯電話機Ａ２１との接続を解除する。その後、制御部１３において、図８に示すように、ＢＴ接続中の携帯電話機２０との接続を解除した旨のメッセージ５１の画像を生成して表示部１６の画面に表示する。
【００５６】
次のステップＳ３８では、記憶部１５に記憶した電話帳データを参照して、入力された電話番号を含む電話帳データを記憶している（ＹＥＳ）か否（ＮＯ）かを判定する。このステップＳ３８において、判定結果がＹＥＳの場合にはステップＳ３９に移行し、判定結果がＮＯの場合にはステップＳ５１に移行する。
【００５７】
次のステップＳ３９では、入力電話番号を含む電話帳データを検出する。検出された電話帳データから携帯電話機２０の識別データを取得する。
【００５８】
次のステップＳ４０では、制御部１３において、メモリ１３ａに格納した識別データを参照して、入力電話番号を含む電話帳データに対応する携帯電話機２０と接続可能である（ＹＥＳ）か否（ＮＯ）かを判定する。図１に示すケースでは、入力電話番号が携帯電話機Ｂ２２に対応する電話帳データに含まれていれば、携帯電話機Ｂ２２は接続可能であると判定する。一方、入力電話番号が携帯電話機Ｃ２３に対応する電話帳データに含まれている場合であっても、携帯電話機Ｃ２３はハンズフリー装置１０の通信範囲に入っていないため、接続可能でないと判定する。
【００５９】
次のステップＳ４１では、制御部１３の制御に基づき、通信部１４において、入力電話番号を含む電話帳データに対応する携帯電話機２０とＢＴ接続する。図１に示すケースでは、入力電話番号が携帯電話機Ｂ２２に対応する電話帳データに含まれている場合に携帯電話機Ｂ２２とＢＴ接続する。その後、制御部１３において、図９に示すように、携帯電話機２０とのＢＴ接続を行った旨のメッセージ５２の画像を生成して表示部１６の画面に表示する。
【００６０】
次のステップＳ４２では、制御部１３の制御に基づき、通信部１４において、入力電話番号の発信をＢＴ接続中の携帯電話機２０を介して行う。図１に示すケースでは、ＢＴ接続した携帯電話機Ｂ２２を介して入力電話番号の発信を行う。その後、ＢＴ接続中の携帯電話機２０との接続を維持したまま、本処理フローは「終了」となる。
【００６１】
ステップＳ３４において、判定結果がＹＥＳの場合、すなわち入力電話番号がＢＴ接続中の携帯電話機２０に対応する電話帳データに含まれている場合には、ステップＳ４６に移行し、制御部１３からの制御に基づき、通信部１４において、ＢＴ接続中の携帯電話機２０との接続を維持する。図１に示すケースでは、携帯電話機Ａ２１との接続を維持し、ステップＳ４２に移行する。
【００６２】
また、ステップＳ３８において、入力電話番号を含む電話帳データが記憶部１５に記憶されていない場合、及び、ステップＳ４０において、入力電話番号を含む電話帳データに対応する携帯電話機２０と接続可能でない場合には、ステップＳ５１に移行し、入力された電話番号の発信を中止すると共に、図１０に示すように、その旨のメッセージ５３の画像を生成して表示部１６の画面に表示する。
【００６３】
次のステップＳ５２では、制御部１３の制御に基づき、通信部１４において、ステップＳ３７において接続を解除する前に接続していた携帯電話機２０と再接続する。図１に示すケースでは、携帯電話機Ａ２１と再接続する。そして、図９に示すように、携帯電話機２０とのＢＴ接続を行った旨のメッセージ５２の画像を生成して表示部１６の画面に表示する。その後、ＢＴ接続中の携帯電話機２０との接続を維持したまま、図５に示す発信方法選択メニューを表示部１６の画面に表示して、本処理フローは「終了」となる。
【００６４】
また、ステップＳ３６において、ＢＴ接続先の切り替えが許可されなかった場合には、ステップＳ５６に移行し、入力された電話番号の発信を中止すると共に、図１１に示すように、その旨のメッセージ５４の画像を生成して表示部１６の画面に表示する。その後、ＢＴ接続中の携帯電話機２０（図１に示すケースでは、携帯電話機Ａ２１）との接続を維持したまま、図５に示す発信方法選択メニューを表示部１６の画面に表示して、本処理フローは「終了」となる。
【００６５】
なお、上述した実施形態においては、図１に示すケースを例にとり、発信先の電話番号が保存された携帯電話機が通信範囲内に１つ存在する場合について説明したが、通信範囲内に複数存在していてもよい。この場合には、登録した携帯電話機２０に優先順位を付しておき、入力された電話番号を含む電話帳データを保有し、且つ通信範囲内に存在する携帯電話機２０のうち優先順位が最も高い携帯電話機２０を選択して、ＢＴ接続をするようにしてもよい。また、この優先順位としては、例えば、携帯電話機２０を登録した順序や、携帯電話機２０を使用した頻度の順位を採用するようにしてもよい。
【００６６】
また、上述した実施形態においては、制御部１３において生成する種々のメッセージの内容を画像として表示部１６の画面に表示しているが（図７〜図１１に示すメッセージ５０〜５４を参照）、当該メッセージの内容を他の形態で出力してもよい。例えば、当該メッセージの内容を、音声としてスピーカ１７から出力するようにしてもよく、画像として表示部１６の画面に表示すると共に、音声としてスピーカ１７から出力するようにしてもよい。
【００６７】
以上説明したように、本実施形態に係る通信システム１によれば、ハンズフリー装置１０において、登録しようとする携帯電話機（未登録の携帯電話機）から、当該携帯電話機が保有する電話番号リストと識別データとを取得して、これらのデータを対応付けて当該携帯電話機の電話帳データとして記憶部１５に記憶する。これにより、携帯電話機の登録が行われる。
【００６８】
ハンズフリー装置１０と、登録済みのいずれかの携帯電話機２０とがＢＴ接続しているときに、発信先の電話番号が入力されると、ＢＴ接続中の携帯電話機２０に対応する電話帳データに入力された電話番号が含まれているか否かを判定する。この電話帳データに入力された電話番号が含まれている場合には、ＢＴ接続中の携帯電話機２０との接続を維持し、電話帳データに入力された電話番号が含まれていない場合には、入力された電話番号を含む電話帳データに対応する携帯電話機２０にＢＴ接続先を切り替えて、発信を行う。
【００６９】
このように、発信可能な携帯電話機が複数存在する場合であっても、入力された電話番号の発信を行う携帯電話機は、その電話番号を含む電話帳データに対応する携帯電話機２０となる。このため、ユーザの意図と異なる携帯電話機での発信を防止し、意図しない発信相手の電話機に電話番号等の履歴が残ってしまうことを防止することができる。
【００７０】
また、ハンズフリー装置１０において、ＢＴ接続中の携帯電話機２０に対応する電話帳データに、ユーザにより入力された電話番号が含まれていないときや、その電話番号を含む電話帳データに対応する携帯電話機２０がハンズフリー装置との通信範囲外にあったり電源がオフになっている等により接続可能でないときには、入力された電話番号の発信を中止する。このため、ユーザの意図と異なる携帯電話機での発信を防止することができる。
【図面の簡単な説明】
【００７１】
【図１】本発明の一実施形態に係る通信システムの構成を示すブロック図である。
【図２】本実施形態に係る通信システムのうちのハンズフリー装置（通信装置）の制御部において行う携帯電話機の登録に係る処理の一例を示すフロー図である。
【図３】本実施形態に係る通信システムのうちのハンズフリー装置の制御部において行う携帯電話機とのＢＴ接続に係る処理の一例を示すフロー図である。
【図４】本実施形態に係る通信システムのうちのハンズフリー装置の制御部において行う電話番号の発信に係る処理の一例を示すフロー図である。
【図５】表示部の画面に表示される発信方法選択メニュー画像の一例を示す図である。
【図６】表示部の画面に表示される電話番号入力メニュー画像の一例を示す図である。
【図７】ユーザにより入力された電話番号がＢＴ接続中の携帯電話機に対応する電話帳データに含まれていない場合に表示部の画面に表示されるメッセージ画像の一例を示す図である。
【図８】ＢＴ接続中の携帯電話機との接続を解除したときに表示部の画面に表示されるメッセージ画像の一例を示す図である。
【図９】携帯電話機との接続を行ったときに表示部の画面に表示されるメッセージ画像の一例を示す図である。
【図１０】ユーザにより入力された電話番号の発信を中止するときに表示部の画面に表示されるメッセージ画像の一例を示す図である。
【図１１】ユーザにより入力された電話番号の発信を中止するときに表示部の画面に表示されるメッセージ画像の他の例を示す図である。
【符号の説明】
【００７２】
１…通信システム、
１０…ハンズフリー装置（通信装置）、
１１…操作部（入力手段）、
１２…マイクロホン、
１３…制御部（制御手段）、
１３ａ…メモリ、
１４…通信制御部（通信手段）、
１５…記憶部（記憶手段）、
１６…表示部（情報出力手段）、
１７…スピーカ（情報出力手段）、
２０〜２３…携帯電話機、
４０…電話番号入力メニュー、
４１…数字・記号キー、
４３…発信キー、
５０〜５４…メッセージ画像。
【図１】
2010130658.tif 000003
【図２】
2010130658.tif 000004
【図３】
2010130658.tif 000005
【図４】
2010130658.tif 000006
【図５】
2010130658.tif 000007
【図６】
2010130658.tif 000008
【図７】
2010130658.tif 000009
【図８】
2010130658.tif 000010
【図９】
2010130658.tif 000011
【図１０】
2010130658.tif 000012
【図１１】
2010130658.tif 000013